(57)【特許請求の範囲】
【請求項１】
互いに直交する長手方向、幅方向及び厚さ方向を有し、前記長手方向がペットの胴回り方向に沿うように装着される、オスのペット用吸収性物品であって、
液を透過させる表面シートと、
前記液を透過させない裏面層と、
前記表面シートと前記裏面層との間に配置され前記液を吸収する吸収体と、
前記表面シート側に設けられる一対の第１漏れ抑制部及び第２漏れ抑制部と、を備え、
前記第１漏れ抑制部及び前記第２漏れ抑制部は、前記幅方向の両側において前記長手方向に沿って設けられ、
前記第１漏れ抑制部は、前記表面シートに接合する第１接合部と、前記表面シートに接合していない第１起立部とを有し、
前記第２漏れ抑制部は、前記表面シートに接合する第２接合部と、前記表面シートに接合していない第２起立部とを有し、
前記第２起立部における前記長手方向の収縮力は、前記第１起立部における前記長手方向の収縮力より小さく、
前記長手方向の一方の端部に係止部を有し、
前記係止部は、前記長手方向の一端側の前記表面シートと、他端側の前記裏面層とを接続するペット用吸収性物品。
【請求項２】
前記第１漏れ抑制部は、疎水性不織布を材料とする第１抑制部本体と、前記第１起立部において前記第１抑制部本体の長手方向に取り付けられた第１弾性部材と、を有し、
前記第２漏れ抑制部は、疎水性不織布を材料とする第２抑制部本体と、前記第２起立部において前記第２抑制部本体の長手方向に取り付けられた第２弾性部材と、を有し、
前記第２弾性部材の本数は、前記第１弾性部材の本数よりも少ない請求項１に記載のペット用吸収性物品。
【請求項３】
前記第１漏れ抑制部は、疎水性不織布を材料とする第１抑制部本体と、前記第１起立部において前記第１抑制部本体の長手方向に取り付けられた弾性部材と、を有し、
前記第２漏れ抑制部は、疎水性不織布を材料とする第２抑制部本体を有し、前記第２抑制部本体を長手方向に収縮させる弾性部材を有さない請求項１に記載のペット用吸収性物品。
【請求項４】
前記第２抑制部本体の一対の短辺は、前記表面シートに弱接合され、
前記第２抑制部本体の一対の長辺のうち、前記表面シートの外周側に位置する長辺は、前記表面シート及び前記裏面層に接合され、
前記一対の長辺のうち前記表面シートの内周側に位置する長辺は、前記表面シートに接合されていない請求項２又は３に記載のペット用吸収性物品。
【請求項５】
前記第２起立部は、前記第２起立部の長手方向の中央部において幅が狭くなる狭幅部を有する請求項１から４のいずれか１項に記載のペット用吸収性物品。
【請求項６】
前記表面シート及び前記裏面層の前記幅方向の最外側には、前記表面シート及び前記裏面層の長手方向に延在するフラップ部が設けられ、
前記表面シート及び前記裏面層は、前記第２起立部を内側に巻き込む姿勢で、前記フラップ部が前記表面シートに面するように折り返され、前記表面シート及び前記裏面層の長手方向に折れ線が付けられており、
前記折れ線は、前記第２起立部と重なっている請求項１から５のいずれか１項に記載のペット用吸収性物品。
【請求項７】
前記表面シート及び前記裏面層の前記幅方向の最外側には、前記表面シート及び前記裏面層の長手方向に延在するフラップ部が設けられ、
前記表面シート及び前記裏面層は、前記第２起立部を内側に巻き込む姿勢で、前記フラップ部が前記表面シートに面するように折り返され、前記表面シート及び前記裏面層の長手方向に折れ線が付けられており、
前記折れ線は、前記第２起立部よりも前記表面シートの内周側に位置する請求項１から５のいずれか１項に記載のペット用吸収性物品。
【請求項８】
前記長手方向の中央部において、前記吸収体の前記幅方向における頭側端から前記第１接合部までの距離と、前記第１接合部から前記第１起立部の端までの距離との和は、前記吸収体の前記幅方向における尻側端から前記第２接合部までの距離と、前記第２接合部から前記第２起立部の端までの距離との和よりも長い請求項１から７のいずれか１項に記載のペット用吸収性物品。
【請求項９】
前記中央部において、前記第１接合部から前記第１起立部の端までの距離は、前記第２接合部から前記第２起立部の端までの距離よりも長い請求項８に記載のペット用吸収性物品。
【請求項１０】
前記中央部において、前記吸収体の前記幅方向の頭側端から前記第１接合部までの距離は、前記吸収体の前記幅方向の尻側端から前記第２接合部までの距離よりも長い請求項８又は９に記載のペット用吸収性物品。
【請求項１１】
前記第１漏れ抑制部は、前記長手方向の両端部において、前記第１漏れ抑制部と前記表面シートとの接合部である第３接合部を有し、
前記幅方向において、前記第３接合部から第１起立部の端までの距離は、前記第２接合部から前記第２起立部の端までの距離より短い請求項１から１０のいずれか１項に記載のペット用吸収性物品。
【請求項１２】
前記吸収体は、前記表面シートの長手方向の中央部において、前記第２漏れ抑制部の方向に凸である請求項１から１１のいずれか１項に記載のペット用吸収性物品。
【請求項１３】
前記裏面層は、前記液と反応して変色する変色部を有し、
前記変色部は、前記第１接合部と前記第２接合部との中心位置よりも、前記第２接合部側に位置する請求項１から１２のいずれか１項に記載のペット用吸収性物品。
【請求項１４】
前記係止部が、前記裏面層に設けられている請求項１から１３のいずれか１項に記載のペット用吸収性物品。
【請求項１５】
前記裏面層は、前記係止部により筒状に固定された状態において、外側に配置される前記裏面層の前記長手方向の端の位置を指標する目印部を有し、
前記目印部は、前記裏面層の前記幅方向の頭側に位置する第１目印部と、前記裏面層の前記幅方向の尻側に位置する第２目印部と、を有し、
前記第２目印部は、前記第１目印部よりも、前記長手方向の内側に位置する請求項１から１４のいずれか１項に記載のペット用吸収性物品。
【請求項１６】
前記幅方向における前記係止部の中心は、前記第１接合部と前記第２接合部との中心位置よりも前記第２接合部側に位置する請求項１から１５のいずれか１項に記載のペット用吸収性物品。
【請求項１７】
前記係止部が設けられた領域は、前記領域において相対的に剛性が高い高剛性領域を有する請求項１から１６のいずれか１項に記載のペット用吸収性物品。
【請求項１８】
前記係止部は、前記裏面層の前記幅方向に設けられ、
前記高剛性領域は、前記幅方向の頭側に位置する請求項１７に記載のペット用吸収性物品。
【発明の詳細な説明】
【技術分野】
【０００１】
本発明は、ペット用吸収性物品に関する。
【背景技術】
【０００２】
従来、ペット、特に犬や猫が排泄した尿を捕集するため物品として、尻部全体を覆うことなく、ペットの胴周りに巻きつけて装着される帯状の吸収性物品が知られている（例えば、特許文献１）。特許文献１に記載の吸収性物品は、ペットの尿道口を覆うように装着させることで、排泄した尿を吸収性部品が有する吸収体に捕集している。これにより、例えば犬の習性によりマーキングしたとしても、尿による汚れを抑制することができる。
【先行技術文献】
【特許文献】
【０００３】
【特許文献１】特開２００７−０２０５３３号公報
【発明の概要】
【発明が解決しようとする課題】
【０００４】
上記特許文献１に記載の吸収性物品においては、尿漏れを抑制するために、ペットの胴体に接する面の前足側と後足側との両方に、帯状の立体ギャザーが設けられている。このうち、後足側の立体ギャザーは、装着時にちょうどオスのペットの性器と重なる位置にある。そのため、吸収性物品を装着したオスのペットが動くと、立体ギャザーと性器とがこすれ、かぶれや赤みなど皮膚の炎症を生じるおそれがあった。
【０００５】
本発明はこのような事情に鑑みてなされたものであって、装着時における性器とのこすれを抑制したペット用吸収性物品を提供することを目的とする。
【課題を解決するための手段】
【０００６】
上記の課題を解決するため、本発明の一態様は、以下の態様を包含する。
【０００７】
［１］互いに直交する長手方向、幅方向及び厚さ方向を有し、前記長手方向がペットの胴回り方向に沿うように装着される、オスのペット用吸収性物品であって、液を透過させる表面シートと、前記液を透過させない裏面層と、前記表面シートと前記裏面層との間に配置され前記液を吸収する吸収体と、前記表面シート側に設けられる一対の第１漏れ抑制部及び第２漏れ抑制部と、を備え、前記第１漏れ抑制部及び前記第２漏れ抑制部は、前記幅方向の両側において前記長手方向に沿って設けられ、前記第１漏れ抑制部は、前記表面シートに接合する第１接合部と、前記表面シートに接合していない第１起立部とを有し、前記第２漏れ抑制部は、前記表面シートに接合する第２接合部と、前記表面シートに接合していない第２起立部とを有し、前記第２起立部における前記長手方向の収縮力は、前記第１起立部における前記長手方向の収縮力より小さいペット用吸収性物品。
【０００８】
［２］前記第１漏れ抑制部は、疎水性不織布を材料とする第１抑制部本体と、前記第１起立部において前記第１抑制部本体の長手方向に取り付けられた第１弾性部材と、を有し、前記第２漏れ抑制部は、疎水性不織布を材料とする第２抑制部本体と、前記第２起立部において前記第２抑制部本体の長手方向に取り付けられた第２弾性部材と、を有し、前記第２弾性部材の本数は、前記第１弾性部材の本数よりも少ない［１］に記載のペット用吸収性物品。
【０００９】
［３］前記第１漏れ抑制部は、疎水性不織布を材料とする第１抑制部本体と、前記第１起立部において前記第１抑制部本体の長手方向に取り付けられた弾性部材と、を有し、前記第２漏れ抑制部は、疎水性不織布を材料とする第２抑制部本体を有し、前記第２抑制部本体を長手方向に収縮させる弾性部材を有さない［１］に記載のペット用吸収性物品。
【００１０】
［４］前記第２抑制部本体の一対の短辺は、前記表面シートに弱接合され、前記第２抑制部本体の一対の長辺のうち、前記表面シートの外周側に位置する長辺は、前記表面シート及び前記裏面層に接合され、前記一対の長辺のうち前記表面シートの内周側に位置する長辺は、前記表面シートに接合されていない［２］又は［３］に記載のペット用吸収性物品。
【００１１】
［５］前記第２起立部は、前記第２起立部の長手方向の中央部において幅が狭くなる狭幅部を有する［１］から［４］のいずれか１項に記載のペット用吸収性物品。
【００１２】
［６］前記表面シート及び前記裏面層の前記幅方向の最外側には、前記表面シート及び前記裏面層の長手方向に延在するフラップ部が設けられ、前記表面シート及び前記裏面層は、前記第２起立部を内側に巻き込む姿勢で、前記フラップ部が前記表面シートに面するように折り返され、前記表面シート及び前記裏面層の長手方向に折れ線が付けられており、前記折れ線は、前記第２起立部と重なっている［１］から［５］のいずれか１項に記載のペット用吸収性物品。
【００１３】
［７］前記表面シート及び前記裏面層の前記幅方向の最外側には、前記表面シート及び前記裏面層の長手方向に延在するフラップ部が設けられ、前記表面シート及び前記裏面層は、前記第２起立部を内側に巻き込む姿勢で、前記フラップ部が前記表面シートに面するように折り返され、前記表面シート及び前記裏面層の長手方向に折れ線が付けられており、前記折れ線は、前記第２起立部よりも前記表面シートの内周側に位置する［１］から［５］のいずれか１項に記載のペット用吸収性物品。
【００１４】
［８］前記長手方向の中央部において、前記吸収体の前記幅方向における頭側端から前記第１接合部までの距離と、前記第１接合部から前記第１起立部の端までの距離との和は、前記吸収体の前記幅方向における尻側端から前記第２接合部までの距離と、前記第２接合部から前記第２起立部の端までの距離との和よりも長い［１］から［７］のいずれか１項に記載のペット用吸収性物品。
【００１５】
［９］前記中央部において、前記第１接合部から前記第１起立部の端までの距離は、前記第２接合部から前記第２起立部の端までの距離よりも長い［８］に記載のペット用吸収性物品。
【００１６】
［１０］前記中央部において、前記吸収体の前記幅方向の頭側端から前記第１接合部までの距離は、前記吸収体の前記幅方向の尻側端から前記第２接合部までの距離よりも長い［８］又は［９］に記載のペット用吸収性物品。
【００１７】
［１１］前記第１漏れ抑制部は、前記長手方向の両端部において、前記第１漏れ抑制部と前記表面シートとの接合部である第３接合部を有し、前記幅方向において、前記第３接合部から第１起立部の端までの距離は、前記第２接合部から前記第２起立部の端までの距離より短い［１］から［１０］のいずれか１項に記載のペット用吸収性物品。
【００１８】
［１２］前記吸収体は、前記表面シートの長手方向の中央部において、前記第２漏れ抑制部の方向に凸である［１］から［１１］のいずれか１項に記載のペット用吸収性物品。
【００１９】
［１３］前記裏面層は、前記液と反応して変色する変色部を有し、前記変色部は、前記第１接合部と前記第２接合部との中心位置よりも、前記第２接合部側に位置する［１］から［１２］のいずれか１項に記載のペット用吸収性物品。
【００２０】
［１４］前記長手方向の両端部において、前記表面シートと前記裏面層とを接続する係止部を有する［１］から［１３］のいずれか１項に記載のペット用吸収性物品。
【００２１】
［１５］前記係止部が、前記裏面層に設けられている［１４］に記載のペット用吸収性物品。
【００２２】
［１６］前記裏面層は、前記係止部により筒状に固定された状態において、外側に配置される前記裏面層の前記長手方向の端の位置を指標する目印部を有し、前記目印部は、前記裏面層の前記幅方向の頭側に位置する第１目印部と、前記裏面層の前記幅方向の尻側に位置する第２目印部と、を有し、前記第２目印部は、前記第１目印部よりも、前記長手方向の内側に位置する［１４］又は［１５］に記載のペット用吸収性物品。
【００２３】
［１７］前記幅方向における前記係止部の中心は、前記第１接合部と前記第２接合部との中心位置よりも前記第２接合部側に位置する［１４］から［１６］のいずれか１項に記載のペット用吸収性物品。
【００２４】
［１８］前記係止部が設けられた領域は、前記領域において相対的に剛性が高い高剛性領域を有する［１４］から［１７］のいずれか１項に記載のペット用吸収性物品。
【００２５】
［１９］前記係止部は、前記裏面層の前記幅方向に設けられ、前記高剛性領域は、前記幅方向の頭側に位置する［１８］に記載のペット用吸収性物品。
【発明の効果】
【００２６】
本発明によれば、装着時における性器とのこすれを抑制したペット用吸収性物品を提供できる。
【図面の簡単な説明】
【００２７】
【図１】図１は、第１実施形態のペット用吸収性物品１の装着状態を示す模式図である。
【図２】図２は、第１実施形態のペット用吸収性物品１を示す概略斜視図である。
【図３】図３は、図２の線分III−IIIで示す断面視野における分解断面図である。
【図４】図４は、ペット用吸収性物品１の平面図である。
【図５】図５は、ペット用吸収性物品１の他の効果を説明する説明図である。
【図６】図６は、ペット用吸収性物品１の裏面図である。
【図７】図７は、係止部の変形例を示す説明図である。
【図８】図８は、係止部の変形例を示す説明図である。
【図９】図９は、係止部の変形例を示す説明図である。
【図１０】図１０は、第２漏れ抑制部３０の周辺の概略構造を示す拡大断面図である。
【図１１】図１１は、第２漏れ抑制部３０の周辺の概略構造を示す拡大断面図である。
【図１２】図１２は、第２漏れ抑制部３０の周辺の概略構造を示す拡大断面図である。
【図１３】図１３は、第２漏れ抑制部３０の周辺の概略構造を示す拡大断面図である。
【図１４】図１４は、第１実施形態の変形例を示す模式図である。
【図１５】図１５は、第２実施形態のペット用吸収性物品３を示す説明図である。
【図１６】図１６は、第２漏れ抑制部の変形例を示す平面図である。
【図１７】図１７は、第２漏れ抑制部の変形例を示す平面図である。
【図１８】図１８は、第２漏れ抑制部の変形例を示す平面図である。
【発明を実施するための形態】
【００２８】
［第１実施形態］
以下、図１〜図１４を参照しながら、本発明の第１実施形態に係るペット用吸収性物品について説明する。なお、以下の全ての図面においては、図面を見やすくするため、各構成要素の寸法や比率などは適宜異ならせてある。また、以下の説明においては、ペット用吸収性物品を単に「吸収性物品」と称することがある。
【００２９】
図１は、本実施形態のペット用吸収性物品１の装着状態を示す模式図である。吸収性物品１は、オスのペットに好適に用いられる。吸収性物品１は、内部にペットＰから排出される液を吸収して保持する。吸収する対象となる液は、ペットＰの体内から排出される液状物を指し、典型的にはペットＰが排出する尿が挙げられる。その他、血液や精液も挙げられる。以下、吸収する液として尿を例に挙げ、吸収性物品１を説明する。
【００３０】
以下の説明では、吸収性物品１を装着するペットが犬である例を示すが、他のペットに吸収性物品１を装着させてもよい。例えば、吸収性物品１は猫に装着させてもよい。
【００３１】
本実施形態の吸収性物品１は、帯状の形状を有し、互いに直交する長手方向、幅方向及び厚さ方向を有する。図１に示すように、吸収性物品１は、長手方向がペットPの胴回り方向に沿うように装着され、ペットＰの大腿部Ｔの前方（頭側）でペットＰの腰Ｈに巻き付けられる。
【００３２】
本実施形態において「帯状」とは、一方向に長く伸びる様子を示す表現である。この意味において、「帯状の形状」とは数学的な矩形に限らず、辺の形状が直線でなくてもよい。
【００３３】
このような姿勢で吸収性物品１を装着すると、吸収性物品１は、ペットＰの尿道口を覆い、ペットＰが排泄した尿を吸収して保持することができる。
【００３４】
以下の説明では、吸収性物品１において装着時にペットＰと対向する面を「おもて面」、装着時にペットＰとは反対である外側を向く面を「裏面」と称する。
【００３５】
図２は、本実施形態の吸収性物品１を示す概略斜視図である。図３は、図２の線分III−IIIで示す断面視野における分解断面図である。図４は、吸収性物品１の平面図である。
【００３６】
以下の説明においては、ｘｙｚ直交座標系を設定し、このｘｙｚ直交座標系を参照しつつ各部材の位置関係について説明する。ここでは、水平面内の所定方向をｘ軸方向、水平面内においてｘ軸方向と直交する方向をｙ軸方向、ｘ軸方向及びｙ軸方向のそれぞれと直交する方向（すなわち鉛直方向）をｚ軸方向とする。
【００３７】
図２，３に示すように、本実施形態の吸収性物品１は、本体部１０と、一対の第１漏れ抑制部２０及び第２漏れ抑制部３０と、を有する。
【００３８】
吸収性物品１において、図１に示す装着状態でペットＰの頭側を符号Ａ、装着状態でペットＰの尻側を符号Ｂで示す。
【００３９】
（本体部）
本体部１０は、ｘ軸方向に延在する帯状の外見を有する。本体部１０のｙ軸方向の長さは、ｘ軸方向の長さよりも短い。ｘ軸方向は、本発明における「長手方向」に該当する。また、ｙ軸方向は、本発明における「幅方向」に該当する。また、ｚ軸方向は、本発明における「厚さ方向」に該当する。
【００４０】
本体部１０の長手方向は符号Ｘで表し、本体部１０の幅方向は符号Ｙで表す。
【００４１】
本体部１０は、表面シート１１と、裏面層１２と、吸収体１３とを有する。表面シート１１と、裏面層１２と、吸収体１３とは、厚さ方向（ｚ軸方向）に積層している。
【００４２】
表面シート１１は、本体部１０のおもて面１０ａの側に位置し、本体部１０のおもて面１０ａを構成する。
【００４３】
表面シート１１は、液（ペットＰの尿）を透過させる。表面シート１１は、例えば不織布を材料とする。
【００４４】
裏面層１２は、本体部１０の裏面１０ｂの側に位置し、本体部１０の裏面１０ｂを構成する。裏面層１２は、液（ペットＰの尿）を透過させない。
【００４５】
裏面層１２は、ペットＰの尿を透過させない防水フィルム１２１と、防水フィルム１２１よりも外側に設けられる不織布１２２とを有する。防水フィルム１２１の裏面側の面１２１ａには、印刷が施されていてもよい。また、不織布１２２にも印刷が施されていてもよい。
【００４６】
図３に示す吸収性物品１では、表面シート１１の幅方向の長さと、防水フィルム１２１の幅方向の長さとが一致している。また、不織布１２２の幅方向の長さは、表面シート１１の幅方向の長さ、及び防水フィルム１２１の幅方向の長さよりも長い。不織布１２２は、裏面からの視野において、表面シート１１及び防水フィルム１２１を完全に覆っている。
【００４７】
吸収体１３は、表面シート１１と裏面層１２との間に配置されている。吸収体１３は、液（ペットＰの尿）を吸収する。図２に示すように、吸収体１３は、吸収性物品１の長手方向Ｘに延在し、吸収性物品の長手方向Ｘの中央に配置されている。吸収体１３の幅方向Ｙの長さは、吸収体１３の長手方向Ｘの長さよりも短い。
【００４８】
吸収体１３は、ペット用の吸収性物品の吸収体として公知の構成を採用することができる。例えば、吸収体１３は、吸収性素材を材料とするコアと、コアを包むラップ材とを有し、平面視矩形の部材である。
【００４９】
吸収性素材としては、フラッフ状パルプと、高吸収性ポリマーとが挙げられる。フラッフ状パルプとしては例えば、化学パルプ、セルロース繊維、レーヨン、アセテート等の人工セルロース繊維が挙げられる。高吸収性ポリマーとしては、デンプン系、アクリル酸系、アミノ酸系の粒子状又は繊維状のポリマーが挙げられる。
【００５０】
ラップ材としては、不織布ラップとティッシュラップとが挙げられる。
【００５１】
（第１漏れ抑制部）
第１漏れ抑制部２０は、本体部１０の表面シート１１側に設けられる。第１漏れ抑制部２０は、本体部１０の長手方向Ｘに沿って延在する帯状の部材である。
【００５２】
第１漏れ抑制部２０は、疎水性不織布を材料とし、長手方向Ｘに伸びる第１抑制部本体２００と、第１抑制部本体２００の長手方向に沿って取り付けられた弾性部材２０１と、を有する。第１漏れ抑制部２０の材料である不織布は、撥水加工されていてもよい。
【００５３】
なお、以下の説明において、「端部」とは、物品の端縁を含む一定の範囲を含む領域を指す。
また、「端」とは、物品の端縁を指す。「一端」「他端」も同様とする。
【００５４】
第１漏れ抑制部２０は、本体部１０と接合されている領域である第１接合部２０Ｘと、本体部１０と接合されていない領域である第１起立部２０Ｙとを有する。
【００５５】
第１接合部２０Ｘは、第１漏れ抑制部２０の幅方向Ｙにおける頭側Ａの端部であって、本体部１０（表面シート１１及び裏面層１２）と接合している領域である。第１接合部２０Ｘは、第１漏れ抑制部２０の頭側Ａの端部において、長手方向Ｘに沿って設けられている。接合の方法は、融着であってもよく、接着であってもよい。
【００５６】
第１起立部２０Ｙは、第１漏れ抑制部２０の幅方向Ｙにおける尻側Ｂの端部であって、本体部１０と接合していない領域である。第１起立部２０Ｙは、第１漏れ抑制部２０の尻側Ｂの端部において、長手方向Ｘに沿って設けられている。
【００５７】
さらに、図４に示すように、第１漏れ抑制部２０は、表面シート１１と接合する第３接合部２０Ｚが設けられていてもよい。本実施形態においては、第３接合部２０Ｚは、第１漏れ抑制部２０の幅方向Ｙにおける尻側Ｂの端部であって、且つ長手方向Ｘの両端部に設けられている。
【００５８】
第１漏れ抑制部２０が第３接合部２０Ｚにおいて表面シート１１と接合する場合、第１起立部２０Ｙの範囲は、第１漏れ抑制部２０の幅方向Ｙにおける尻側Ｂの端部であって、且つ第３接合部２０Ｚが設けられていない領域を指す。
【００５９】
第１起立部２０Ｙにおいて、第１抑制部本体２００の幅方向Ｙの内側の端部は、弾性部材２０１を巻き込みながら長手方向Ｘに沿って折り返されている。図２に示すように、弾性部材２０１は、本体部１０の長手方向Ｘの中央付近に設けられ、製造時に長手方向Ｘに伸長された状態で一部が固定されている。弾性部材２０１は、製造時に弾性部材２０１を伸長させるために加えられた力から開放されており、弾性部材２０１の収縮力（弾性力）に基づいて長手方向Ｘに収縮している。
【００６０】
弾性部材２０１の材料は、細長く、伸び縮みする材料であればよい。弾性部材２０１の材料は、具体的には、天然ゴムからなる糸状ゴム、平ゴム等や、ウレタン、エチレン−酢酸ビニル共重合体（ＥＶＡ）、ＰＥ等の熱可塑性エラストマーを用いることができる。熱可塑性エラストマーとしては、ポリブタジエン、ポリイソプレン、スチレン−ブタジエン共重合体、スチレン−イソプレン共重合体、ポリウレタン、エチレン−酢酸ビニル共重合体、エチレン−αオレフィン共重合体等を糸状に成形するか又はフィルムに成型し細幅にスリットしたものが挙げられる。
【００６１】
第１抑制部本体２００の内側の端部であって、折り返された帯状の領域は、対向する第１抑制部本体２００と接合している。第１起立部２０Ｙにおいて、第１抑制部本体２００が弾性部材２０１を巻き込んで接合した部分は、ギャザー部２５を構成する。ギャザー部２５は、立体ギャザーとして知られた構成である。
【００６２】
ギャザー部２５が形成された領域は、弾性部材２０１の収縮に伴って収縮している。そのため、第１起立部２０Ｙは、第１起立部２０Ｙの長手方向Ｘに収縮する。
【００６３】
また、第１漏れ抑制部２０は、第１漏れ抑制部２０の幅方向Ｙにおける頭側Ａの端部において、間に弾性部材１８１を挟み込んだ状態で本体部１０の不織布１２２と接合している。弾性部材１８１は、本体部１０の長手方向Ｘに沿って設けられ、長手方向Ｘに伸長された状態で固定されている。第１漏れ抑制部２０において、弾性部材１８１を挟み込み、本体部１０の不織布１２２と接合された部分は、第１フラップ部１８を構成する。第１フラップ部１８は、本体部１０の幅方向Ｙにおける頭側Ａの最外側に位置し、長手方向Ｘに延在している。
【００６４】
弾性部材１８１の材料は、弾性部材２０１の材料と同様の材料を用いることができる。
【００６５】
（第２漏れ抑制部）
第２漏れ抑制部３０は、本体部１０の表面シート１１側に設けられる。第２漏れ抑制部３０は、本体部１０の長手方向Ｘに沿って延在する帯状の部材である。また、第２漏れ抑制部３０の幅は、第１漏れ抑制部２０の幅よりも狭い。
【００６６】
第２漏れ抑制部３０は、疎水性不織布を材料とし、長手方向Ｘに伸びる第２抑制部本体３００を有する。第２漏れ抑制部３０の材料である不織布は、撥水加工されていてもよい。
【００６７】
第２漏れ抑制部３０は、本体部１０と接合されている領域である第２接合部３０Ｘと、本体部１０と接合されていない領域である第２起立部３０Ｙとを有する。
【００６８】
第２接合部３０Ｘは、第２漏れ抑制部３０の幅方向Ｙにおける尻側Ｂの端部であって、本体部１０（表面シート１１及び裏面層１２）と接合している領域である。第２接合部３０Ｘは、第２漏れ抑制部３０の尻側Ｂの端部において、長手方向Ｘに沿って設けられている。接合の方法は、融着であってもよく、接着であってもよい。
【００６９】
第２起立部３０Ｙは、第２漏れ抑制部３０の幅方向Ｙにおける頭側Ａの端部であって、本体部１０と接合していない領域である。第２起立部３０Ｙは、第２漏れ抑制部３０の頭側Ａの端部において、長手方向Ｘに沿って設けられている。
【００７０】
第２起立部３０Ｙは、第１起立部２０Ｙと異なり、第２起立部３０Ｙを長手方向に収縮させる弾性部材を有さない。
【００７１】
第２起立部３０Ｙの長手方向Ｘの両端部は、表面シート１１と弱接合されていてもよい。図２では、弱接合された部分を符号ＨＭで示している。
【００７２】
弱接合とは、接合部分に加えられる力が弱い場合（例えば、折り畳まれたペット用吸収性物品１を展開する程度の力が、間接的に接合部分に伝わった場合）には、接合状態は維持されるが、接合部分に所定以上の力が加えられた場合（例えば、接合部分が装着対象のペットに当接した状態で、このペットの身体の動きにより接合部分に対して接合を解除する方向の力が加えられた場合）には、接合状態が解除される程度の強さでの接合を表す。
【００７３】
また、第２漏れ抑制部３０は、第２漏れ抑制部３０の幅方向Ｙにおける尻側Ｂの端部において、間に弾性部材１９１を挟み込んだ状態で本体部１０の不織布１２２と接合している。弾性部材１９１は、本体部１０の長手方向Ｘに沿って設けられ、長手方向Ｘに伸長された状態で固定されている。第２漏れ抑制部３０において、弾性部材１９１を挟み込み、本体部１０の不織布１２２と接合された部分は、第２フラップ部１９を構成する。第２フラップ部１９は、本体部１０（表面シート１１及び裏面層１２）の幅方向Ｙの最外側に位置し、長手方向Ｘに延在している。
【００７４】
弾性部材１９１の材料は、上述の弾性部材２０１の材料と同様の材料を用いることができる。
【００７５】
上述したように、第１起立部２０Ｙは弾性部材２０１を有し長手方向に収縮する一方、第２起立部３０Ｙは弾性部材を有さず長手方向に収縮しない。すなわち、第２起立部３０Ｙにおける長手方向Ｘの収縮力は、第１起立部２０Ｙにおける長手方向Ｘの収縮力よりも小さい。
【００７６】
第１起立部２０Ｙ及び第２起立部３０Ｙの収縮力は、第１起立部２０Ｙ及び第２起立部３０Ｙから、長手方向Ｘに沿って短冊状の試験片を切り取り、引張荷重を測定して求める。
【００７７】
試験片は、以下のように作製する。
まず、吸収性物品１を展開し、第１起立部２０Ｙの表面に弾性部材１８１の収縮作用による皺（ギャザー）が無くなる程度にまで長手方向Ｘに伸長させる。次いで、伸長させた状態の吸収性物品１の第１起立部２０Ｙ及び第２起立部３０Ｙから、短冊状の試験片を切り取る。
【００７８】
第１起立部２０Ｙから試験片を切り出す際には、試験片の長手方向の全域にギャザー部２５が含まれるように試験片を作製する。すなわち、第１起立部２０Ｙの長手方向Ｘにおいて、ギャザー部２５が存在しない領域を含む場合には、上記「ギャザー部２５が存在しない領域」が含まれないように試験片を切り出す。
【００７９】
試験片を切り取る際の状態、すなわち吸収性物品１を長手方向Ｘに皺（ギャザー）が無くなる程度に伸長させた状態の試験片の寸法を、試験片の初期寸法とする。
【００８０】
作製した試験片について、オートグラフ型引張試験機（株式会社島津製作所製、型番ＡＧ−１ＫＮ１）を用いて引張荷重（Ｎ）を測定する。
各試験片の長手方向の一方の端部を固定チャックに挟み、長手方向の他方の端部を可動チャックに挟んだ状態で可動チャックを３００ｍｍ／分の速度で移動させ、試験片の長手方向の寸法が初期寸法の７５％となったときの引張荷重を、求める収縮力とする。
【００８１】
吸収性物品１を装着したペットＰの性器は、第２起立部３０Ｙと重なる位置にある。第２起立部３０Ｙは、皺を形成しながら胴や性器に沿ってペットＰに接触する。
【００８２】
ここで、第２起立部３０Ｙは、弾性部材を有さず長手方向に収縮していないため、長手方向に収縮する第１起立部２０Ｙよりも形成される皺が少ない。また、弾性部材を有さない第２起立部３０Ｙでは、皺が生じたとしても、皺の形成位置が変化しやすく、皺の稜が性器に当たる位置が変わりやすい。
【００８３】
そのため、ペットＰの性器が第２起立部３０Ｙと重なる位置にあったとしても、第２起立部３０Ｙから性器が受ける擦過刺激が分散しやすく、皮膚の炎症を生じにくい。
【００８４】
また、吸収性物品１は、第１起立部２０Ｙ及び第２起立部３０Ｙの存在により尿漏れが抑制されている。
【００８５】
そのため、吸収性物品１は、尿漏れを抑制しつつ、装着時における性器とのこすれを抑制することができる。
【００８６】
図４に示すように、吸収性物品１における各構成の詳細な配置は、次のようになっている。吸収性物品１において、幅方向Ｙの中心軸をＣＬ１とし、長手方向Ｘの中心軸をＣＬ２とする。吸収性物品１の長手方向Ｘの中央部とは、中心軸ＣＬ２近傍を指す。
【００８７】
まず、吸収性物品１は、幅方向Ｙの中心軸ＣＬ１に対し、多くの構成が線対称の配置となっている。中心軸ＣＬ１から第１接合部２０Ｘまでの距離Ａ３は、中心軸ＣＬ１から第２接合部３０Ｘまでの距離Ｂ３と等しい。また、第１接合部２０Ｘから本体部１０の幅方向Ｙにおける頭側Ａの端１０ｘまでの距離Ａ４は、第２接合部３０Ｘから本体部１０の幅方向Ｙにおける尻側Ｂの端１０ｙまでの距離Ｂ４と等しい。
【００８８】
なお、図４に示すように、第１接合部２０Ｘとの距離を測定する際には、第１接合部２０Ｘの端２０ａを基準とする。端２０ａは、第１漏れ抑制部２０の幅方向において、本体部１０と接合された領域（第１接合部２０Ｘ）と、本体部１０と接合されていない領域（第１起立部２０Ｙ）との間に形成される境界である。
【００８９】
また、第２接合部３０Ｘとの距離を測定する際には、第２接合部３０Ｘの端３０ａを基準とする。端３０ａは、第２漏れ抑制部３０の幅方向において、本体部１０と接合された領域（第２接合部３０Ｘ）と、本体部１０と接合されていない領域（第２起立部３０Ｙ）との間に形成される境界である。
【００９０】
また、本体部１０の幅方向Ｙの中心軸ＣＬ１に対し、吸収体１３は線対称の配置となっている。すなわち、吸収体１３の幅方向の両端から中心軸ＣＬ１までの距離はそれぞれ等しい（Ａ５＝Ｂ５）。また、吸収体１３の長手方向の両端から中心軸ＣＬ２までの距離も、それぞれ等しい（Ｃ１＝Ｄ１）。
【００９１】
しかし、第１起立部２０Ｙと第２起立部３０Ｙとは、中心軸ＣＬ１に対して線対称になっていない。詳しくは、本体部１０の長手方向Ｘの中央部において、吸収体１３の幅方向Ｙにおける頭側端から第１接合部２０Ｘまでの距離Ａ１と、第１接合部２０Ｘから第１起立部２０Ｙの内側の端２０ｂまでの距離Ａ２との和は、吸収体１３の幅方向Ｙにおける尻側端から第２接合部３０Ｘまでの距離Ｂ１と、第２接合部３０Ｘから第２起立部３０Ｙの内側の端３０ｂまでの距離Ｂ２との和よりも長い。すなわち、関係式（Ａ１＋Ａ２）＞（Ｂ１＋Ｂ２）が成り立つ。
【００９２】
吸収性物品１では、本体部１０の長手方向Ｘの中央部において、距離Ａ１は距離Ｂ１と等しく、距離Ａ２は距離Ｂ２よりも長い（Ａ２＞Ｂ２）。
【００９３】
さらに、吸収性物品１では、本体部１０の長手方向Ｘの中央部において、距離Ａ１は距離Ａ２より短く、第１起立部２０Ｙの内側の端２０ｂは、平面視で吸収体１３と重なっている（Ａ２＞Ａ１）。また、吸収性物品１では、距離Ｂ１は距離Ｂ２より長く、第２起立部３０Ｙの内側の端３０ｂは、平面視で吸収体１３と重なっていない（Ｂ１＞Ｂ２）。
【００９４】
このとき、本体部１０の長手方向Ｘの中央部において、距離Ａ１は、距離Ｂ１よりも長くてもよい（Ａ１＞Ｂ１）。すなわち、吸収体１３は、本体部１０において尻側Ｂにずれて配置されていてもよい。
【００９５】
また、吸収性物品１では、本体部１０の幅方向Ｙにおいて、第３接合部２０Ｚの外側の端から第１起立部２０Ｙの内側の端までの距離Ａ６は、距離Ｂ２よりも短くてもよい（Ｂ２＞Ａ６）。第３接合部２０Ｚは、第１接合部２０Ｘと連続していてもよい。この場合、距離Ａ６は０である。
【００９６】
距離Ａ６が距離Ｂ２よりも短く作製されていると、吸収性物品１の廃棄時に吸収性物品１を小さく畳んだ際、第３接合部２０Ｚと第１起立部２０Ｙとの間の隙間から尿が漏れ出にくい。
【００９７】
図５は、吸収性物品１の他の効果を説明する説明図であり、吸収性物品１をペットＰが装着した時の中心軸ＣＬ２における概略断面図である。吸収性物品１を装着したペットＰの尿道口ＵＭは、例えば吸収体１３と重なる位置にある。ペットＰは、頭側Ａに向けて排泄する。
【００９８】
このとき、排尿される方向には、第１起立部２０Ｙと本体部１０とで囲まれた空間が形成されており尿Ｕを遮る。第１起立部２０Ｙと本体部１０とで囲まれた空間で遮られた尿Ｕは、後方（尻側Ｂ）に戻る過程で吸収体１３の上を通過するため、効果的に吸収体１３に吸収される。仮に吸収体１３で吸収されない少量の尿Ｕが吸収体１３を超えたとしても、第２起立部３０Ｙにより遮られる。
【００９９】
ここで、上述のように関係式（Ａ１＋Ａ２）＞（Ｂ１＋Ｂ２）が成り立つことにより、吸収体１３よりも頭側Ａでは尻側Ｂよりも相対的に大きな空間が形成され、排泄された尿Ｕを広く受け止めて遮ることができる。また、吸収体１３に尿Ｕが吸収されるまで、短い時間でも第１起立部２０Ｙと本体部１０とで囲まれた空間で尿Ｕを保持することができる。そのため、仮に勢いよく尿Ｕが排泄されたとしても、頭側Ａからの尿漏れを抑制することができる。また、尿Ｕを効果的に吸収体１３に導き、吸収させることができる。
【０１００】
（係止部）
図６は、吸収性物品１の裏面図である。図６に示すように、吸収性物品１は、本体部１０の長手方向の一端側に、係止部４０を有する。係止部４０は、メカニカルファスナである。係止部４０は、本体部１０の長手方向Ｘの両端において表面シート１１と裏面層１２とを接続し、吸収性物品１を筒状に固定する。これにより、吸収性物品１はペットＰの胴回りに固定される。
【０１０１】
本実施形態においては、係止部４０は、裏面層１２の幅方向に設けられている。そのため、吸収性物品１は、本体部１０の長手方向Ｘの一端側の裏面に長手方向Ｘの他端側のおもて面を重ねることで、係止部４０が表面シート１１に接続され筒状に固定される。このように、係止部４０が裏面層１２に設けられていると、ペットＰへの装着時に係止部４０が外側に露出するため、作業者は係止部４０を認識しやすく、ペットＰへの装着が容易となる。
【０１０２】
係止部４０は、表面シート１１に設けられていてもよい。この場合、吸収性物品１は、本体部１０の長手方向Ｘの一端側のおもて面に長手方向Ｘの他端側の裏面を重ねることで、係止部４０が裏面層１２に接続され筒状に固定される。
【０１０３】
吸収性物品１においては、係止部４０の幅方向Ｙの中心軸ＣＬ３は、第１接合部２０Ｘと第２接合部３０Ｘとの中心位置（中心軸ＣＬ１）よりも第２接合部３０Ｘの側に位置する。すなわち、吸収性物品１においては、係止部４０は相対的に尻側Ｂにずれて設けられている。これにより、吸収性物品１は、より臀部に近い側で固定されることとなり、第２起立部３０Ｙ（図４参照）が配置された側を相対的にきつく締めることで、後方からの尿漏れが抑制できる。
【０１０４】
係止部４０が設けられた領域は、一様に形成されていてもよいが、厚さ方向（ｚ方向）の構成が領域によって異なっていてもよい。このような構成の吸収性物品１は、係止部４０が設けられた領域の剛性が場所によって異なり、相対的に剛性が高い高剛性領域を有する。
【０１０５】
例えば、係止部４０が頭側Ａにずれて設けられている場合、係止部４０の頭側Ａの一部は第１漏れ抑制部２０と平面的に重なり、残りは第１漏れ抑制部２０と重ならない。同様に、係止部４０が尻側Ｂにずれて設けられている場合、係止部４０の尻側Ｂの一部は第２漏れ抑制部３０と平面的に重なり、残りは第２漏れ抑制部３０と平面的に重ならない。このような厚み方向の構成の違いにより、係止部４０が設けられた領域においては、剛性の違いが生じる。
【０１０６】
上記例では、係止部４０と第１漏れ抑制部２０又は第２漏れ抑制部３０とが重なる領域は、他の重ならない領域と相対的に剛性が高くなる。このような剛性が高い領域は、本発明における「高剛性領域」に該当する。
【０１０７】
吸収性物品１を装着したペットＰが動く場合、吸収性物品１には複数の方向から力が加わり、引っ張られて位置ずれしたり、端部がめくれたりすることがある。係止部４０が高剛性領域を有していると、高剛性領域は、相対的に剛性が低い領域（低剛性領域）よりも変形しにくく、吸収性物品１の位置ずれや、高剛性領域の周辺における端部のめくれを抑制できる。
【０１０８】
さらに、高剛性領域は、係止部４０の構成そのものを変更することで形成してもよい。すなわち、係止部が、一様に形成されているのではなく、相対的に剛性の異なる部分を有していてもよい。
【０１０９】
図７〜９は、係止部の変形例を示す説明図である。以下の説明では、係止部において、相対的に剛性が高い部分を高剛性部とする。また、以下の説明では、係止部が設けられた領域において、吸収性物品１の厚さ方向の構成は、一様であることとする。すなわち、係止部の高剛性部が位置する領域が高剛性領域に該当する。
【０１１０】
図７に示す係止部４０Ａは、高剛性部４０ｘが幅方向Ｙの頭側Ａに位置し、相対的に剛性が低い低剛性部４０ｙが尻側Ｂに位置する。吸収性物品１を装着したペットＰの歩行時には、吸収性物品１の頭側Ａは尻側Ｂよりも動きにくい。そのため、頭側Ａに高剛性部４０ｘを設けることで、吸収性物品１の位置ずれを抑制し、体にしっかり固定できる。
【０１１１】
一方、ペットＰは、歩行時に尻部を左右に振りながら動く。この場合、尻側Ｂに低剛性部４０ｙを設けることで、ペットＰが装着した吸収性物品１は、しなやかに体の動きに追従し、位置ずれを抑制できる。
【０１１２】
図８に示す係止部４０Ｂは、高剛性部４０ｘが幅方向Ｙの尻側Ｂに位置し、相対的に剛性が低い低剛性部４０ｙが頭側Ａに位置する。吸収性物品１を装着する際は、まず吸収性物品１の後端部をペットＰの尻尾に押し当てて位置決めをし、その後、第１フラップ部１８、第２フラップ部１９を広げてフィットさせる。その際、尻側Ｂに高剛性部４０ｘがあると、フラップ部を広げて吸収性物品１をフィットさせる際に、位置ずれを抑制できる。
【０１１３】
図９に示す係止部４０Ｃは、高剛性部４０ｘが幅方向Ｙの中央近傍に位置し、高剛性部４０ｘの頭側Ａ、尻側Ｂの両方に低剛性部４０ｙが位置する。吸収性物品１を装着する際にペットＰの性器の先端付近に高剛性部４０ｘが位置すると、高剛性部４０ｘにて性器を固定することができ、吸収性物品１が尻側Ｂにずれたとしても、性器が露出し難い。
【０１１４】
（変色部）
図６に示すように、吸収性物品１は、尿と反応して変色する変色部５０を有する。変色部５０は、裏面層１２に設けられている。変色部５０は、長手方向Ｘに延在する帯状の領域としているが、これに限らず種々のデザインを施すことができる。変色部５０の変色を確認することで、使用者は吸収性物品１の交換時期の目安を認識することができる。
【０１１５】
変色部５０は、第１接合部２０Ｘと第２接合部３０Ｘとの中心位置（中心軸ＣＬ１）よりも、第２接合部３０Ｘの側に位置するとよい。上述のように、吸収性物品１を装着したペットＰが尿Ｕを排泄すると、尿Ｕはまず頭側Ａの第１起立部２０Ｙ（図４参照）でせき止められた後、尻側Ｂに戻りながら吸収体１３に吸収される。すなわち、吸収体１３は、当初は頭側Ａで尿Ｕを吸収しやすく、後に尻側Ｂで尿Ｕを吸収しやすい。そのため、中心軸ＣＬ１よりも第２接合部３０Ｘの側に位置する変色部５０が変色すると、変色部５０よりも頭側Ａの吸収体１３でも尿Ｕの吸収が行われていると判断でき、交換すべきとの妥当な判断をしやすくなる。
【０１１６】
（目印部）
吸収性物品１は、目印部６０を有する。目印部６０は、裏面層１２に設けられた帯状の印刷模様である。目印部６０は、係止部４０により本体部１０が固定された状態における、本体部１０の端の位置を指標する。吸収性物品１では、係止部４０に本体部１０の長手方向Ｘの他端１０ｚの表面シート１１を重ね筒状に固定するが、目印部６０は他端１０ｚの位置を指標する。
【０１１７】
使用者は、ペットＰに吸収性物品１を装着する際、他端１０ｚを目印部６０に沿わせて位置決めすることにより、適切な姿勢で吸収性物品１を用いることができる。
【０１１８】
目印部６０は、裏面層１２の幅方向Ｙの頭側Ａに位置する第１目印部６０ａと、尻側Ｂに位置する第２目印部６０ｂとを有する。本実施形態においては、第１目印部６０ａと第２目印部６０ｂとは帯状に連続し、目印部６０を形成している。第１目印部６０ａと第２目印部６０ｂとは離間していてもよい。
【０１１９】
第２目印部６０ｂは、第１目印部６０ａよりも長手方向Ｘにおいて本体部１０の内側に位置する。すなわち、帯状の目印部６０は、中心軸ＣＬ１と斜めに交差している。
【０１２０】
吸収性物品１において、上述のような目印部６０に本体部１０の他端１０ｚを沿わせ、係止部４０により固定することにより、吸収性物品１は頭側Ａよりも尻側Ｂを締め付ける錘状となる。これにより、第２起立部３０Ｙが配置された尻側Ｂを締め付けた状態で吸収性物品１をペットＰに装着させやすく、尻側Ｂからの尿漏れを抑制しやすくなる。
【０１２１】
（吸収性物品の折りたたみ方）
図１０〜１３は、第２起立部３０Ｙの周辺の概略構造を示す拡大断面図である。吸収性物品１は、保存時や販売時には、おもて面１０ａを内側に巻き込む姿勢で長辺方向及び短辺方向に折りたたまれる。その際、第２起立部３０Ｙの周辺では、折り方により、次のような効果が得られる。
【０１２２】
図１０，１２は、吸収性物品１を折りたたんだ様子を示す拡大断面図である。まず、図１０，１２に共通して、表面シート１１及び裏面層１２は、第２起立部３０Ｙを内側に巻き込む姿勢で、第２フラップ部１９がおもて面１０ａに面するように折り返されている。その結果、吸収性物品１には、表面シート１１及び裏面層１２の長手方向Ｘに折れ線Ｌが付けられている。第２フラップ部１９は、本発明における「フラップ部」に該当する。
【０１２３】
一つの方法としては、図１０に示すように、折れ線Ｌが第２起立部３０Ｙと重なる姿勢で吸収性物品１を折りたたむことが考えられる。この場合、第２起立部３０Ｙには、折れ線Ｌによる折り癖が付く。
【０１２４】
このように折りたたんだ吸収性物品１を使用時に展開すると、図１１に示すように、第２起立部３０Ｙは、折り癖により内側の端３０ｂが持ち上がりやすい。そのため、図１０のように折りたたんだ吸収性物品１は、第２起立部３０Ｙが尿をせき止めやすく、尿漏れを抑制しやすい効果が期待できる。
【０１２５】
他の方法としては、図１２に示すように、折れ線Ｌが第２起立部３０Ｙと重ならず、第２起立部３０Ｙよりも本体部１０の内周側に位置する姿勢で吸収性物品１を折りたたむことが考えられる。この場合、第２起立部３０Ｙには、折れ線Ｌによる折り癖が付かない。
【０１２６】
このように折りたたんだ吸収性物品１を使用時に展開すると、図１３に示すように、第２起立部３０Ｙは、相対的に図８に示した状態と比べて端３０ｂが持ち上がりにくい。そのため、図９のように折りたたんだ吸収性物品１は、第２起立部３０ＹがペットＰの性器と触れにくく、また触れたとしても、第２起立部３０Ｙが性器におしつけられる力が弱くなる。そのため、図９のように折りたたんだ吸収性物品１は、装着時における性器とのこすれを抑制しやすい効果が期待できる。
【０１２７】
以上のような構成の吸収性物品１によれば、装着時における性器とのこすれを抑制することができる。
【０１２８】
（変形例）
図１４は、本実施形態の変形例を示す模式図であり、平面視における吸収性物品の長手方向の中央部を示す概略平面図である。
【０１２９】
図１４に示す吸収性物品２は、吸収体１５を有している、吸収体１５は、本体部１０の長手方向Ｘの中央部において、第２漏れ抑制部３０の方向に凸である。すなわち、吸収体１５は、平面視矩形の第１部分１５１と、第２漏れ抑制部３０の方向に凸となる第２部分１５２とを有する。
【０１３０】
吸収性物品２では、第２起立部３０Ｙの内側の端３０ｂは、平面視で吸収体１５の第２部分１５２と重なっている。
【０１３１】
上述したように、吸収性物品を装着したペットＰが頭側Ａに向けて排尿すると、尿Ｕは第１起立部２０Ｙで遮られ後方（尻側Ｂ）に戻る過程で吸収体１３に吸収される。ここで、排泄される尿Ｕの量が多い、または排泄の勢いが強いと、吸収体１３で吸収しきれない尿Ｕが多量に吸収体１３を超えるおそれがある。
【０１３２】
このような場合でも、吸収性物品２のように、吸収体１５が第２起立部３０Ｙの近傍にまで延在していると、吸収体１５が尿Ｕを吸収する機会が増え、尿Ｕを吸収しやすく、尻側Ｂからの尿漏れを抑制しやすい。
【０１３３】
［第２実施形態］
図１５は、本発明の第２実施形態の吸収性物品３を示す説明図であり、第１実施形態の図３に対応する視野における断面図である。本実施形態において第１実施形態と共通する構成要素については同じ符号を付し、詳細な説明は省略する。
【０１３４】
第１実施形態の吸収性物品１では、第１起立部２０Ｙが長手方向に収縮し、第２起立部３０Ｙが長手方向に収縮しないこととしたが、本実施形態の吸収性物品３は、第１起立部及び第２起立部が長手方向に収縮する。すなわち、本発明においては、第１起立部は第１起立部の長手方向に収縮し、第２起立部は、第２起立部の長手方向に収縮してもよい。
【０１３５】
図１５に示すように、本実施形態の吸収性物品３は、本体部１０と、第１漏れ抑制部２１と、第２漏れ抑制部３１と、を有する。
【０１３６】
吸収性物品３の第１漏れ抑制部２１は、帯状の疎水性不織布を材料とする第１抑制部本体２００と、第１抑制部本体２００の長手方向に取り付けられた第１弾性部材２０１と、を有する。第１漏れ抑制部２１のギャザー部２５は、第１弾性部材２０１を２本有する。
【０１３７】
第１漏れ抑制部２１は、本体部１０と接合されている領域である第１接合部２１Ｘと、本体部１０と接合されていない領域である第１起立部２１Ｙとを有する。
第１接合部２１Ｘは、第１実施形態の吸収性物品１における第１接合部２０Ｘと同様の領域を指す。第１起立部２１Ｙは、第１実施形態の吸収性物品１における第１起立部２０Ｙと同様の領域を指す。
【０１３８】
第２漏れ抑制部３１は、帯状の疎水性不織布を材料とする第２抑制部本体３００と、第２抑制部本体の長手方向に取り付けられた第２弾性部材３０１と、を有する。吸収性物品３は、第２弾性部材３０１を１本有する。すなわち、第２弾性部材３０１の本数は、第１弾性部材２０１の本数よりも少ない。
【０１３９】
第２漏れ抑制部３１は、本体部１０と接合されている領域である第２接合部３１Ｘと、本体部１０と接合されていない領域である第２起立部３１Ｙとを有する。
【０１４０】
第２漏れ抑制部３１は、本体部１０と接合されている領域である第２接合部３１Ｘと、本体部１０と接合されていない領域である第２起立部３１Ｙとを有する。
第１接合部２１Ｘは、第１実施形態の吸収性物品１における第２接合部３０Ｘと同様の領域を指す。第２起立部３１Ｙは、第１実施形態の吸収性物品１における第２起立部３０Ｙと同様の領域を指す。
【０１４１】
第２起立部３０Ｙにおいて、第２抑制部本体３００の幅方向Ｙにおける頭側Ａの端部は、第２弾性部材３０１を巻き込みながら長手方向Ｘに沿って折り返されている。第２弾性部材３０１は、例えば、第１起立部２１Ｙの第１弾性部材２０１に対向して、第２起立部３１Ｙの長手方向Ｘの中央付近に設けられ、製造時に長手方向Ｘに伸長された状態で一部が固定されている。第２弾性部材３０１は、製造時に第２弾性部材３０１を伸長させるために加えられた力から開放されており、長手方向Ｘに収縮している。
【０１４２】
第２抑制部本体３００の内側の端部であって、折り返された帯状の領域は、対向する第２抑制部本体３００と接合している。第２起立部３１Ｙにおいて、第２抑制部本体３００が第２弾性部材３０１を巻き込んで接合した部分は、ギャザー部３５を構成する。ギャザー部３５は、立体ギャザーとして知られた構成である。
【０１４３】
ギャザー部３５が形成された領域は、第２弾性部材３０１の収縮に伴って収縮している。そのため、第２漏れ抑制部３１は、第２漏れ抑制部３１の長手方向Ｘに収縮する。
【０１４４】
第２弾性部材３０１の材料は、上述した弾性部材２０１の材料と同様の材料を用いることができる。
【０１４５】
このような構成の吸収性物品３では、第２起立部３１Ｙが有する第２弾性部材３０１は、第１起立部２１Ｙが有する第１弾性部材２０１よりも少ない。すなわち、吸収性物品３において、第２起立部３１Ｙの長手方向の収縮力は、第１起立部２１Ｙの長手方向の収縮力よりも小さい。
【０１４６】
収縮力の相対比較の基準である第１起立部２１Ｙの収縮力については、従来の吸収性物品に通常採用されている立体ギャザーの収縮力と、同等とすることができる。すなわち、第２起立部３１Ｙの収縮力は、従来の吸収性物品に通常採用されている立体ギャザーの収縮力よりも弱い。
【０１４７】
このような構成の吸収性物品３において、第２起立部３１Ｙは、相対的に第１起立部２１Ｙよりも形成される皺が少ない。または、第２起立部３１Ｙでは、皺が生じたとしても、皺が変形しやすく、皺が無くなるまで第２起立部３１Ｙが伸長しやすい。
【０１４８】
そのため、ペットＰの性器が第２起立部３１Ｙと重なる位置にあったとしても、第２起立部３１Ｙから性器が受ける擦過刺激が分散しやすく、皮膚の炎症を生じにくい。
【０１４９】
また、吸収性物品３では、第１起立部２１Ｙ及び第２起立部３１Ｙの収縮力を、弾性部材の数の違いで制御している。そのため、第２起立部３１Ｙの長手方向の収縮力を、第１起立部２１Ｙの長手方向の収縮力より小さく制御しやすい。
【０１５０】
以上のような構成の吸収性物品３であっても、装着時における性器とのこすれを抑制することができる。
【０１５１】
なお、第２起立部３１Ｙの収縮力を制御する方法は、上述した弾性部材の数の他にも次のような方法を採用できる。図１６，１７は、第２漏れ抑制部の第２起立部の変形例を示す平面図である。
【０１５２】
まず、図１６に示す第２漏れ抑制部３２のように、第２起立部３２Ｙの内側の端３２ｂに複数のスリットＳを設けて、スリットＳの部分で第２弾性部材３０１を切断してもよい。スリットＳの数を増やし、第２弾性部材３０１の切断箇所を増やすと、収縮力が低下する傾向にある。
【０１５３】
また、図１７に示す第２漏れ抑制部３３のように、第２起立部３３Ｙの長手方向の中央部において、第２起立部３３Ｙが有する第２弾性部材３０１を、外側（尻側）に凸となるように引き回してもよい。第２弾性部材３０１が外側に凸となる部分を符号３３１で示す。
【０１５４】
第２起立部３３Ｙは、第２弾性部材３０１を凸状に引き回さず長手方向に直線的に設けたものと比べると、第２起立部３３Ｙの端３２ｂから第２弾性部材３０１までの距離が長い。そのため、第２起立部３３ＹがペットＰの性器に接触する場合には、第２弾性部材３０１を長手方向に直線的に設けた第２起立部と比べると、相対的に多くの不織布と性器との接触面積が増えることとなる。そのため、第２起立部３３Ｙは、性器に与える力が分散しやすく、性器を痛めにくくなる。
【０１５５】
上記第２起立部３３Ｙの効果と同様の効果を得るために、第２弾性部材３０１の位置を変更してもよい。具体的には、第２起立部において、第２弾性部材３０１の位置を、幅方向Ｙの外側（尻側）に移動させてもよい。
【０１５６】
また、第１弾性部材２０１と第２弾性部材３０１との収縮力を変更するため、第１弾性部材２０１と第２弾性部材３０１との材料、太さ及び織り方の少なくとも一つを変更してもよい。
【０１５７】
また、第１抑制部本体２００と第２抑制部本体３００との材料である不織布の種類を変更してもよい。
【０１５８】
その他、第１起立部と第２起立部との収縮力を制御する方法としては、製造時に第１弾性部材２０１と第２弾性部材３０１との伸ばし方を変更してもよい。同じ弾性部材を用いたとしても、製造時により伸長させた状態で固定すると、収縮力が大きくなる傾向にある。
【０１５９】
図１８は、第２漏れ抑制部の変形例を示す平面図である。図１８に示す第２漏れ抑制部３４は、第２起立部３４Ｙの長手方向の中央部において、幅が狭くなる狭幅部３４１を有する。狭幅部３４１は、長手方向の中央部において、内側の端３４ｂに設けられた凹部である。
【０１６０】
第２漏れ抑制部３４を有する吸収性物品は、ペットＰに装着させた場合、ペットＰの性器が狭幅部３４１と重なる。そのため、第２起立部３４ＹがペットＰの性器と触れにくく、また触れたとしても、第２起立部３４Ｙが性器におしつけられる力が弱くなる。そのため、第２漏れ抑制部３４を有する吸収性物品は、装着時における性器とのこすれを抑制しやすい効果が期待できる。
【０１６１】
以上、添付図面を参照しながら本発明に係る好適な実施の形態例について説明したが、本発明は係る例に限定されない。上述した例において示した各構成部材の諸形状や組み合わせ等は一例であって、本発明の主旨から逸脱しない範囲において設計要求等に基づき種々変更可能である。
【符号の説明】
【０１６２】
１，２，３…吸収性物品、１０…本体部、１０ａ…おもて面、１０ｂ…裏面、１１…表面シート、１２…裏面層、１３，１５…吸収体、１８…第１フラップ部、１９…第２フラップ部、２０，２１…第１漏れ抑制部、２０ａ…第１接合部の端、２０Ｘ，２１Ｘ…第１接合部、２０Ｙ，２１Ｙ…第１起立部、２０Ｚ…第３接合部、３０，３１，３２，３３，３４…第２漏れ抑制部、３０ａ…第２接合部の端、３０Ｘ，３１Ｘ…第２接合部、３０Ｙ，３１Ｙ，３２Ｙ，３３Ｙ，３４Ｙ…第２起立部、４０…係止部、５０…変色部、６０…目印部、６０ａ…第１目印部、６０ｂ…第２目印部、１２１…防水フィルム、１２２…不織布、２００…第１抑制部本体、２０１…弾性部材、第１弾性部材、３００…第２抑制部本体、３０１…第２弾性部材、３４１…狭幅部、Ｐ…ペット、Ｓ…スリット、Ｕ…尿、Ｘ…長手方向、Ｙ…幅方向
【要約】
【課題】装着時における性器とのこすれを抑制したペット用吸収性物品を提供する。
【解決手段】互いに直交する長手方向、幅方向及び厚さ方向を有し、長手方向がペットの胴回り方向に沿うように装着される、オスのペット用吸収性物品であって、表面シートと、裏面層と、表面シートと裏面層との間に配置され液を吸収する吸収体と、表面シート側に設けられる一対の第１漏れ抑制部及び第２漏れ抑制部と、を備え、第１漏れ抑制部及び第２漏れ抑制部は、幅方向の両側において長手方向に沿って設けられ、前記第１漏れ抑制部は、前記表面シートに接合する第１接合部と、前記表面シートに接合していない第１起立部を有し、前記第２漏れ抑制部は、前記表面シートに接合する第２接合部と、前記表面シートに接合していない第２起立部を有し、前記第２起立部における前記長手方向の収縮力は、前記第１起立部における前記長手方向の収縮力より小さいペット用吸収性物品。
【選択図】図２【図１】
0006867546.tif 000002
【図２】
0006867546.tif 000003
【図３】
0006867546.tif 000004
【図４】
0006867546.tif 000005
【図５】
0006867546.tif 000006
【図６】
0006867546.tif 000007
【図７】
0006867546.tif 000008
【図８】
0006867546.tif 000009
【図９】
0006867546.tif 000010
【図１０】
0006867546.tif 000011
【図１１】
0006867546.tif 000012
【図１２】
0006867546.tif 000013
【図１３】
0006867546.tif 000014
【図１４】
0006867546.tif 000015
【図１５】
0006867546.tif 000016
【図１６】
0006867546.tif 000017
【図１７】
0006867546.tif 000018
【図１８】
0006867546.tif 000019